(57)【要約】  視覚補助器具が使用者の身体の一部に接触または近接しているか否かにより、表示モードを適切に切り替える画像表示装置を提供する。画像表示装置（１）は、視覚補助器具（２）の左目部分（２１Ｌ）を介して視認されるべき左目用画像と、視覚補助器具（２）の右目部分（２１Ｒ）を介して視認されるべき右目用画像とを、時間的または空間的に分離して表示する立体画像表示モードと、前記左目用画像および前記右目用画像のいずれか一方を表示する平面画像表示モードとのいずれかで表示を行う表示部（１１）を備える。画像表示装置（１）は、視覚補助器具（２）から、当該視覚補助器具が使用者の身体の一部に接触または近接していることを示す装着信号（２４１）を受信し、その受信状況に基づいて、表示部（１１）における表示モードを、立体画像表示モードと平面画像表示モードとの間で切り替える。
2011070851.tif 000002
【特許請求の範囲】
【請求項１】
視覚補助器具の左目部分を介して視認されるべき左目用画像と、前記視覚補助器具の右目部分を介して視認されるべき右目用画像とを、時間的または空間的に分離して表示する立体画像表示モードと、前記左目用画像および前記右目用画像のいずれか一方を表示する平面画像表示モードとのいずれかで表示を行う表示部と、
前記視覚補助器具から、前記視覚補助器具が使用者の身体の一部に接触または近接していることを示す装着信号を受信する装着信号受信部と、
前記装着信号受信部による前記装着信号の受信状況に基づいて、表示部における表示モードを、立体画像表示モードと平面画像表示モードとの間で切り替える切替部とを備える画像表示装置。
【請求項２】
前記装着信号受信部が複数の前記視覚補助器具から前記装着信号を受信した場合、前記装着信号の受信結果から、前記複数の視覚補助器具の使用者による装着状況を判断する計測部をさらに備え、
前記切替部は、前記計測部の判断結果に基づいて、前記表示部における表示モードを、前記立体画像表示モードと前記平面画像表示モードとの間で切り替える請求項１に記載の画像表示装置。
【請求項３】
前記計測部は、前記複数の視覚補助器具の個数をあらかじめ登録し、
前記計測部は、前記装着状況として、前記複数の視覚補助器具のうち使用者に装着されていると判断される視覚補助器具の数を求め、
前記切替部は、前記計測部が求めた数と、前記計測部に登録されている個数とが一致する場合に、前記表示部における表示モードを前記立体画像表示モードに切り替える、請求項２に記載の画像表示装置。
【請求項４】
前記計測部は、前記装着状況として、前記複数の視覚補助器具のうち使用者に装着されていると判断される視覚補助器具の数を求め、
前記切替部は、前記計測部が求めた数が１以上である場合に、前記表示部における表示モードを前記立体画像表示モードに切り替える、請求項２に記載の画像表示装置。
【請求項５】
左目部分を介して視認するべき左目用画像と、右目部分を介して視認するべき右目用画像とを互いに独立して視認することができる視覚補助器具と、
前記左目用画像と、前記右目用画像とを時間的または空間的に分離して表示する立体画像表示モードと、前記左目用画像および前記右目用画像のいずれか一方を表示する平面画像表示モードとのいずれかで表示を行う画像表示装置とを備え、
前記視覚補助器具は、
前記視覚補助器具が使用者の身体の一部に接触または近接しているときにこれを検知する装着検知部と、
前記装着検知部の検知結果にしたがって、前記視覚補助器具が使用者の身体の一部に接触または近接していることを示す装着信号を生成する装着信号生成部と、
前記装着信号を前記画像表示装置に送信する送信部とを備え、
前記画像表示装置は、
前記立体画像表示モードと平面画像表示モードとのどちらか一方により表示を行う表示部と、
前記装着信号を前記送信部から受信する装着信号受信部と、
前記装着信号受信部による前記装着信号の受信状況に基づいて、表示部における表示モードを、立体画像表示モードと平面画像表示モードとの間で切り替える切替部とを備える立体画像表示システム。
【請求項６】
前記視覚補助器具を複数備え、
前記画像表示装置は、前記装着信号受信部が複数の前記視覚補助器具から前記装着信号を受信した場合、前記装着信号の受信結果から、前記複数の視覚補助器具の使用者による装着状況を判断する計測部をさらに備え、
前記切替部は、前記計測部の判断結果に基づいて、前記表示部における表示モードを、前記立体画像表示モードと前記平面画像表モードとの間で切り替える請求項５に記載の立体画像表示システム。
【請求項７】
前記計測部は、前記複数の視覚補助器具の個数をあらかじめ登録し、
前記計測部は、前記装着状況として、前記複数の視覚補助器具のうち使用者に装着されていると判断される視覚補助器具の数を求め、
前記切替部は、前記計測部が求めた数と、前記計測部に登録されている個数とが一致する場合に、前記表示部における表示モードを前記立体画像表示モードに切り替える、請求項６に記載の立体画像表示システム。
【請求項８】
前記計測部は、前記装着状況として、前記複数の視覚補助器具のうち使用者に装着されていると判断される視覚補助器具の数を求め、
前記切替部は、前記計測部が求めた数が１以上である場合に、前記表示部における表示モードを前記立体画像表示モードに切り替える、請求項６に記載の立体画像表示システム。
【請求項９】
前記装着検知部がプッシュスイッチである、請求項５〜８のいずれか一項に記載の立体画像表示システム。
【請求項１０】
左目部分を介して視認するべき左目用画像と、右目部分を介して視認するべき右目用画像とを互いに独立して視認できる視覚補助器具であって、
前記視覚補助器具が使用者の身体の一部に接触または近接しているときにこれを検知する装着検知部と、
前記装着検知部の検知結果にしたがって、前記視覚補助器具が使用者の身体の一部に接触または近接していることを示す装着信号を生成する装着信号生成部と、
前記視覚補助器具の左目部分を介して視認されるべき左目用画像と、前記視覚補助器具の右目部分を介して視認されるべき右目用画像とを、時間的または空間的に分離して表示する立体画像表示モードと前記左目用画像および前記右目用画像のいずれか一方を表示する平面画像表示モードとのどちらか一方により表示を行う画像表示装置に前記装着信号を送信する送信部とを備える視覚補助器具。
【請求項１１】
前記装着検知部がプッシュスイッチである、請求項１０に記載の視覚補助器具。
【発明の詳細な説明】
【技術分野】
【０００１】
本発明は、画像表示装置、視覚補助器具およびそれらを用いた立体画像表示システムに関し、さらに詳しくは、使用者が特殊なメガネを装着して立体画像を視認するメガネ方式を用いた画像表示装置、視覚補助器具およびそれらを用いた立体画像表示システムに関する。
【背景技術】
【０００２】
近年、観察者に立体的な画像を視認させることができる立体画像表示システムの実用化に向けて、より活発な研究開発がなされている。【０００３】
従来の立体画像表示システムには、大きく分けて、（１）左目用と右目用とに互いに視差をつけた画像を画像表示装置に表示し、左目で左目用画像だけが視認され、右目で右目用画像だけが視認されるような特殊なメガネ（視覚補助器具）を観察者に装着させる、いわゆるメガネ方式による立体画像表示システムと、（２）特殊なメガネを利用しなくても立体画像を視認させることができる、いわゆる裸眼立体画像表示システムとがある。【０００４】
特開平９−９６７７９号公報には、液晶シャッタ眼鏡の使用形態に応じてその態様を自在に変更可能なワイヤレス立体視用液晶シャッタ眼鏡が開示されている。液晶シャッタ眼鏡は、ヘッドバンドを頭部から取り外すことなく装着した状態で、且つ眼鏡フレーム部を顔面の上方にはね上げるだけで、液晶シャッタを開閉動作する電源をオフ制御すると共に、立体映像再生装置におけるモニタ画面を立体画像の再生と平面画像の再生とに自動的に切り換えている（特開平９−９６７７９号公報の段落００１２）。
【発明の開示】
【０００５】
しかしながら、特開平９−９６７７９号公報に開示された従来の構成では、液晶シャッタ眼鏡の液晶シャッタがはね上げられた状態になったとき、立体画像の再生から平面画像の再生への切り換えが行われる。使用者の立場に立ってみれば、平面画像を見る場合、そもそも液晶シャッタ眼鏡は不要であるので、頭部に装着しておく必要はなく、液晶シャッタ眼鏡を頭部からはずすのが自然な動作であると考えられる。しかし、上記従来の構成では、使用者が、液晶シャッタをはね上げずに頭部からシャッタ眼鏡を外した場合、平面画像への切り換えが行われず、立体画像の表示が継続されてしまう可能性がある。
【０００６】
本発明の目的は、視覚補助器具が使用者の身体の一部に接触または近接しているか否かにより、表示部における表示モードを、立体画像表示モードと平面画像表示モードとの間で適切に切り替えることができる画像表示装置を提供することである。
【０００７】
本発明による画像表示装置は、視覚補助器具の左目部分を介して視認されるべき左目用画像と、前記視覚補助器具の右目部分を介して視認されるべき右目用画像とを、時間的または空間的に分離して表示する立体画像表示モードと、前記左目用画像および前記右目用画像のいずれか一方を表示する平面画像表示モードとのいずれかで表示を行う表示部を備える。また、画像表示装置は、前記視覚補助器具から、前記視覚補助器具が使用者の身体の一部に接触または近接していることを示す装着信号を受信する装着信号受信部と、前記装着信号受信部による前記装着信号の受信状況に基づいて、表示部における表示モードを、立体画像表示モードと平面画像表示モードとの間で切り替える切替部とを備える。
【０００８】
本発明によれば、視覚補助器具が使用者の身体の一部に接触または近接しているか否かにより、表示部における表示モードを、立体画像表示モードと平面画像表示モードとの間で適切に切り替えることができる。
【図面の簡単な説明】
【０００９】
【図１】第１の実施の形態による立体画像表示システムの全体構成を示す概略図である。
【図２】図１に示した画像表示装置の機能的構成を示すブロック図である。
【図３】図１に示した視覚補助器具の機能的構成を示すブロック図である。
【図４】図１に示した視覚補助器具の機能的構成を示すブロック図である。
【図５】図１に示した左液晶シャッタの構成を示す概略図である。
【図６】第１の実施の形態による視覚補助器具の動作を示すフロー図である。
【図７】第１の実施の形態による画像表示装置の動作を示すフロー図である。
【図８】第１の実施の形態による視覚補助器具の動作を示すフロー図である。
【図９】第２の実施の形態による立体画像表示システムの全体構成を示す概略図である。
【図１０】図９に示した画像表示装置の機能的構成を示すブロック図である。
【図１１】第２の実施の形態による画像表示装置の動作を示すフロー図である。
【発明を実施するための形態】
【００１０】
本発明の一実施形態にかかる画像表示装置は、視覚補助器具の左目部分を介して視認されるべき左目用画像と、前記視覚補助器具の右目部分を介して視認されるべき右目用画像とを、時間的または空間的に分離して表示する立体画像表示モードと、前記左目用画像および前記右目用画像のいずれか一方を表示する平面画像表示モードとのいずれかで表示を行う表示部を備える。また、画像表示装置は、前記視覚補助器具から、前記視覚補助器具が使用者の身体の一部に接触または近接していることを示す装着信号を受信する装着信号受信部と、前記装着信号受信部による前記装着信号の受信状況に基づいて、表示部における表示モードを、立体画像表示モードと平面画像表示モードとの間で切り替える切替部とを備える。
【００１１】
以上の構成により、本実施形態の画像表示装置は、視覚補助器具からの装着信号の受信状況に基づいて、表示モードを立体画像表示モードと平面画像表示モードとの間で切り替える。前記装着信号は、視覚補助器具が使用者の身体の一部に接触または近接していることを示すものである。したがって、使用者が、身体の一部に接触または近接するように視覚補助器具を装着することにより、表示モードが立体画像表示モードと平面画像表示モードとの間で適切に切り替わる画像表示装置を提供することが可能となる。
【００１２】
上記の画像表示装置は、さらに好ましくは、前記装着信号受信部が複数の前記視覚補助器具から前記装着信号を受信した場合、前記装着信号の受信結果から、前記複数の視覚補助器具の使用者による装着状況を判断する計測部をさらに備える。また、前記切替部は、前記計測部の判断結果に基づいて、前記表示部における表示モードを、前記立体画像表示モードと前記平面画像表示モードとの間で切り替える。
【００１３】
この好ましい構成によれば、複数の視覚補助器具からの装着信号の受信結果から、計測部が、複数の視覚補助器具の使用者による装着状況を判断する。そして、切替部が、計測部の判断結果に基づいて、表示モードを切り替える。これにより、複数の視覚補助器具が存在する場合に、その装着状況に応じた表示モードの切替が可能となる。
【００１４】
なお、上記の好ましい構成においてさらに、前記計測部が、前記複数の視覚補助器具の個数をあらかじめ登録しておくことが好ましい。また、前記計測部が、前記装着状況として、前記複数の視覚補助器具のうち使用者に装着されていると判断される視覚補助器具の数を求め、前記切替部は、前記計測部が求めた数と、前記計測部に登録されている個数とが一致する場合に、前記表示部における表示モードを前記立体画像表示モードに切り替えることが好ましい。
【００１５】
この好ましい構成によれば、複数の視覚補助器具の全てが使用者に装着されていると判断される場合に立体画像表示モードとし、少なくとも一部の視覚補助器具が使用者に装着されていないと判断される場合には、平面画像表示モードに切り替えることができる。
【００１６】
あるいは、前記計測部が、前記装着状況として、前記複数の視覚補助器具のうち使用者に装着されていると判断される視覚補助器具の数を求め、前記切替部は、前記計測部が求めた数が１以上である場合に、前記表示部における表示モードを前記立体画像表示モードに切り替える構成としても良い。この構成によれば、複数の視覚補助器具のうち少なくとも１つが使用者によって装着されていると判断される場合は、立体画像表示モードで表示がなされる。
【００１７】
また、上記の目的を達成するために、本発明にかかる立体画像表示システムは、左目部分を介して視認するべき左目用画像と、右目部分を介して視認するべき右目用画像とを互いに独立して視認することができる視覚補助器具と、前記左目用画像と、前記右目用画像とを時間的または空間的に分離して表示する立体画像表示モードと、前記左目用画像および前記右目用画像のいずれか一方を表示する平面画像表示モードとのいずれかで表示を行う画像表示装置とを備える。この立体画像表示システムにおいて、前記視覚補助器具は、前記視覚補助器具が使用者の身体の一部に接触または近接しているときにこれを検知する装着検知部と、前記装着検知部の検知結果にしたがって、前記視覚補助器具が使用者の身体の一部に接触または近接していることを示す装着信号を生成する装着信号生成部と、前記装着信号を前記画像表示装置に送信する送信部とを備える。また、前記画像表示装置は、前記立体画像表示モードと平面画像表示モードとのどちらか一方により表示を行う表示部と、前記装着信号を前記送信部から受信する装着信号受信部と、前記装着信号受信部による前記装着信号の受信状況に基づいて、表示部における表示モードを、立体画像表示モードと平面画像表示モードとの間で切り替える切替部とを備える。
【００１８】
上記の構成にかかる立体画像表示システムによれば、視覚補助器具からの装着信号の受信状況に基づいて、画像表示装置の切替部が、表示部における表示モードを、立体画像表示モードと平面画像表示モードとの間で切り替える。前記装着信号は、視覚補助器具が使用者の身体の一部に接触または近接していることを示すものである。したがって、使用者が、身体の一部に接触または近接するように視覚補助器具を装着することにより、表示モードが立体画像表示モードと平面画像表示モードとの間で適切に切り替わる立体画像表示システムを提供することが可能となる。
【００１９】
この立体画像表示システムは、前記視覚補助器具を複数備えていることが好ましい。さらに、前記画像表示装置は、前記装着信号受信部が複数の前記視覚補助器具から前記装着信号を受信した場合、前記装着信号の受信結果から、前記複数の視覚補助器具の使用者による装着状況を判断する計測部をさらに備え、前記切替部は、前記計測部の判断結果に基づいて、前記表示部における表示モードを、前記立体画像表示モードと前記平面画像表モードとの間で切り替えることが好ましい。
【００２０】
この好ましい構成によれば、複数の視覚補助器具からの装着信号の受信結果から、計測部が、複数の視覚補助器具の使用者による装着状況を判断する。そして、切替部が、計測部の判断結果に基づいて、表示モードを切り替える。これにより、複数の視覚補助器具が存在する場合に、その装着状況に応じた表示モードの切替が可能となる。
【００２１】
この好ましい構成においてさらに、前記計測部が、前記複数の視覚補助器具の個数をあらかじめ登録し、前記計測部は、前記装着状況として、前記複数の視覚補助器具のうち使用者に装着されていると判断される視覚補助器具の数を求め、前記切替部は、前記計測部が求めた数と、前記計測部に登録されている個数とが一致する場合に、前記表示部における表示モードを前記立体画像表示モードに切り替える構成としても良い。
【００２２】
この構成によれば、複数の視覚補助器具の全てが使用者に装着されていると判断される場合に立体画像表示モードとし、少なくとも一部の視覚補助器具が使用者に装着されていないと判断される場合には、平面画像表示モードに切り替えることができる。
【００２３】
あるいは、前記計測部が、前記装着状況として、前記複数の視覚補助器具のうち使用者に装着されていると判断される視覚補助器具の数を求め、前記切替部は、前記計測部が求めた数が１以上である場合に、前記表示部における表示モードを前記立体画像表示モードに切り替える構成としても良い。この構成によれば、複数の視覚補助器具のうち少なくとも１つが使用者によって装着されていると判断される場合は、立体画像表示モードで表示がなされる。
【００２４】
なお、本実施形態にかかる立体画像表示システムにおいて、前記装着検知部としては、例えばプッシュスイッチを用いることができる。
【００２５】
上記の目的を達成するために、本発明の一実施形態にかかる視覚補助器具は、左目部分を介して視認するべき左目用画像と、右目部分を介して視認するべき右目用画像とを互いに独立して視認できる視覚補助器具であって、前記視覚補助器具が使用者の身体の一部に接触または近接しているときにこれを検知する装着検知部と、前記装着検知部の検知結果にしたがって、前記視覚補助器具が使用者の身体の一部に接触または近接していることを示す装着信号を生成する装着信号生成部とを備える。また、この視覚補助器具は、前記視覚補助器具の左目部分を介して視認されるべき左目用画像と、前記視覚補助器具の右目部分を介して視認されるべき右目用画像とを、時間的または空間的に分離して表示する立体画像表示モードと前記左目用画像および前記右目用画像のいずれか一方を表示する平面画像表示モードとのどちらか一方により表示を行う画像表示装置に前記装着信号を送信する送信部とを備える。
[実施の形態]
【００２６】
以下、図面を参照し、本発明の実施の形態をより詳しく説明する。図中同一または相当部分には同一符号を付してその説明は繰り返さない。
[第１の実施の形態]
[立体画像表示システムの構成]
【００２７】
まず、図１を参照して、立体画像表示システムの構成について説明する。図１に示す立体画像表示システムは、画像表示装置１と、視覚補助器具２とを備える。
【００２８】
画像表示装置１は、本例では、液晶ディスプレイであるが、任意の自発光型ディスプレイまたは非自発光型ディスプレイを用いてもよい。自発光型ディスプレイの例としては、これらに限定されないが、陰極線管、プラズマディスプレイ、有機エレクトロルミネッセンス、無機エレクトロルミネッセンス、および、電界放出ディスプレイなどがあげられる。非自発光型ディスプレイの例としては、これらに限定されないが、前記の液晶ディスプレイの他に、リアプロジェクションなどがあげられる。画像表示装置１は、表示部１１と、検出信号受信部１２と、シャッタ制御部１３とを備える。
【００２９】
表示部１１は、液晶パネルで構成される。表示部１１は、立体画像表示モードと、平面画像表示モードとのいずれかのモードで表示を行う。立体画像表示モードでは、視覚補助器具２の左目部分を介して視認されるべき左目用画像と、視覚補助器具２の右目部分を介して視認されるべき右目用画像とを、時間的または空間的に分離して表示する。左目用画像と右目用画像とは、一つの画像を使用者の左目で観察した場合と右目で観察した場合とに生じる視差を有するように生成されている。使用者は、視覚補助器具２を介して、左目では左目用画像のみを視認し、右目では右目用画像のみを視認することにより、これらの画像を立体画像として認識する。平面画像表示モードでは、表示部１１は、左目用画像および右目用画像のいずれか一方のみを表示する。
【００３０】
装着信号受信部１２は、視覚補助器具２から送信される装着信号２４１を受信する。装着信号受信部１２は、視覚補助器具２の送信部２４から送信される装着信号２４１を受信可能であることを条件として、画像表示装置１の任意の位置に設けられる。装着信号受信部１２は、本例では、表示部１１の右下に設けられる。
【００３１】
シャッタ制御部１３は、視覚補助器具２に制御信号１３１を送信する。シャッタ制御部１３は、制御信号１３１を視覚補助器具２の制御信号受信部２３に送信可能であることを条件として、画像表示装置１の任意の位置に設けられる。シャッタ制御部１３は、本例では、表示部１１の右下に設けられる。
【００３２】
視覚補助器具２は、フレーム２０と、左液晶シャッタ２１Ｌと、右液晶シャッタ２１Ｒと、装着検知部２２と、制御信号受信部２３と、送信部２４とを備える。視覚補助器具２は、ゴーグル型、帽子またはヘルメット型、ヘッドマウント型または、オペラグラス型などの任意の形状をとり得る。視覚補助器具２は、本例では、鼻と耳にかけて装着するメガネ型に形成される。視覚補助器具２は、本例では、表示部１１において表示される画像の切り換えに連動して左液晶シャッタ２１Ｌと右液晶シャッタ２１Ｒとを交互に開閉するシャッタ方式を採用しているが、特に限定されない。例えば、視覚補助器具２は、互いに異なる二色（例えば、赤色と青色）のフィルタが付いたメガネを用いるアナグリフ方式を採用しても良い。あるいは、画像表示装置１が左右の画像を互いに異なる偏光状態で表示し、視覚補助器具２として、左右の画像を分離するために偏光フィルタが付いたメガネを用いる方式を採用しても良い。
【００３３】
フレーム２０は、図示されていないが、内部に電気回路および電池などが設けられている。左液晶シャッタ２１Ｌは、フレーム２０の左目部分に嵌め込まれている。右液晶シャッタ２１Ｒは、フレーム２０の右目部分に嵌め込まれている。左液晶シャッタ２１Ｌおよび右液晶シャッタ２１Ｒは、独立して開閉させることができる。詳細は、後述する。
【００３４】
装着検知部２２は、本例では、フレーム２０のモダン部分に設けられ、プッシュスイッチで構成される。装着検知部２２は、視覚補助器具２が使用者の頭部に接触しているかを検知する。すなわち、本実施形態においては、使用者が、メガネ形状の視覚補助器具２を装着すると、モダン部分に設けられた装着検知部２２のプッシュスイッチが使用者の頭部に接触することによって押し込まれる。このように装着検知部２２のプッシュスイッチが押し込まれたときに、視覚補助器具２は、送信部２４から、視覚補助器具２が使用者の頭部に接触していることを示す装着信号２４１を出力する。なお、装着検知部２２の設けられる位置は、この具体例のみに限定されない。例えば、装着検知部２２は、パッドクリングス部分に設けられてもよい。より具体的には、パッドクリングス部分にプッシュスイッチを設け、使用者の鼻がパッドクリングス部分に接触したときにプッシュスイッチが押し込まれたら装着信号２４１が出力されるようにすれば良い。この構成によっても、視覚補助器具２が使用者に装着されたことを容易に検知することができる。
【００３５】
送信部２４は、装着信号２４１を画像表示装置１の装着信号受信部１２に送信可能であることを条件として、視覚補助器具２の任意の位置に設けられる。送信部２４は、本例では、フレーム２０のブリッジ部分に設けられる。
【００３６】
制御信号受信部２３は、シャッタ制御部１３から送信される制御信号１３１を受信する。制御信号受信部２３は、画像表示装置１のシャッタ制御部１３から送信される制御信号１３１を受信可能であることを条件として、視覚補助器具２の任意の位置に設けられる。制御信号受信部２３は、本例では、フレーム２０のブリッジ部分に設けられる。
【００３７】
なお、画像表示装置１のシャッタ制御部１３と視覚補助器具２の制御信号受信部２３との間、および、視覚補助器具２の送信部２４と画像表示装置１の装着信号受信部１２との間の通信の方式は任意である。図１においては、画像表示装置１と視覚補助器具２とが無線通信を行う形態を例示しているが、ケーブルを介した通信であっても良い。なお、無線通信を採用する場合は、赤外線通信やBluetooth（登録商標）などの任意の無線通信を利用することができる。
[画像表示装置の機能的構成]
【００３８】
図２に示すように、画像表示装置１は、上述の表示部１１、装着信号受信部１２、シャッタ制御部１３の他に、映像処理部１４を備える。映像処理部１４は、画像抽出部１４１と、画像処理部１４２と、切替部１４３とを備える。
【００３９】
画像抽出部１４１は、映像信号５０を受信する。映像信号５０は、立体画像用の所定の伝送フォーマットにしたがって外部から伝送される信号である。この伝送フォーマットは、例えば、ＨＤＭＩ（High-Definition Multimedia Interface ）などのインタフェース規格によって規定されている。例えば、ＨＤＭＩ１．４によれば、映像信号５０の伝送フォーマットとして、以下の３種類が規定されている。
【００４０】
（１）所定期間または所定ラインごとに交互に左目用画像と右目用画像とを伝送するフォーマット、
（２）１フレームの画像の水平方向左半分に左目用画像、水平方向右半分に右目用画像をそれぞれ配置して伝送するフォーマット、
（３）２次元映像信号に距離情報（深さ方向の距離情報）を付加して伝送するフォーマット。
【００４１】
なお、左目用画像とは、表示対象物を使用者が見たと仮定した場合に、使用者の左目で視認される画像である。右目用画像とは、表示対象物を使用者が見たと仮定した場合に、使用者の右目で視認される画像である。
【００４２】
画像抽出部１４１は、伝送された映像信号５０の伝送フォーマットにしたがって、映像信号５０から左目用画像と右目用画像とをそれぞれ抽出する。例えば、映像信号５０が、上記（１）のフォーマットに準拠している場合、画像抽出部１４１は、フレームまたはラインあるいはフィールドごとに、左目用画像と右目用画像とを抽出する。また、映像信号５０が、上記（２）の伝送フォーマットに準拠している場合、画像抽出部１４１は、１フレーム分の画像の水平方向左半分を切り出して左目用画像とし、右半分を切り出して右目用画像として抽出する。映像信号５０が、上記（３）の伝送フォーマットに準拠している場合、画像抽出部１４１は、画素毎の距離情報に基づいて左目用画像と右目用画像とを抽出する。画像抽出部１４１は、抽出された左目用画像を左目用画像処理部１４２Ｌに出力する。画像抽出部１４１は、抽出された右目用画像を右目用画像処理部１４２Ｒに出力する。
【００４３】
なお、映像信号５０のインタフェースはＨＤＭＩに限定されず、他の任意のインタフェースを用いることが可能である。なお、映像信号５０としては純粋な２次元映像信号を用い、画像抽出部１４１が、予め定められたアルゴリズムにしたがって各画素に適切な距離情報を与えることにより、映像信号５０から左目用画像と右目用画像とを生成するようにしても良い。
【００４４】
画像処理部１４２は、左目用画像処理部１４２Ｌと右目用画像処理部１４２Ｒとを備える。左目用画像処理部１４２Ｌは、画像抽出部１４１から出力された左目用画像に基づいて、左目用画像データを生成する。右目用画像処理部１４２Ｒは、画像抽出部１４１から出力された右目用画像に基づいて、右目用画像データを生成する。
【００４５】
切替部１４３は、選択部１４３Ａと、スイッチ１４３Ｂと、同期信号生成部１４３Ｃとを備える。選択部１４３Ａは、装着信号受信部１２で受信した装着信号２４１に基づいて、スイッチ１４３Ｂの切替制御を行う。スイッチ１４３Ｂは、選択部１４３Ａから与えられるモード切替信号にしたがって、左目用画像処理部１４２Ｌと右目用画像処理部１４２Ｒとのいずれかを、同期信号生成部１４３Ｃへ選択的に接続する。スイッチ１４３Ｂが左目用画像処理部１４２Ｌに接続されている場合、左目用画像処理部１４２Ｌは、左目用画像データを同期信号生成部１４３Ｃに出力する。スイッチ１４３Ｂが右目用画像処理部１４２Ｒに接続されている場合、右目用画像処理部１４２Ｒは、右目用画像データを同期信号生成部１４３Ｃに出力する。
【００４６】
同期信号生成部１４３Ｃは、出力された左目用画像データおよび右目用画像データを表示部１１に出力する。同期信号生成部１４３Ｃは、表示部１１に出力した左目用画像データおよび右目用画像データに基づいて表示される左目用画像および右目用画像の切り替わるタイミングに同期した同期信号をシャッタ制御部１３に出力する。
【００４７】
シャッタ制御部１３は、同期信号生成部１４３Ｃから出力された同期信号に基づいて、左液晶シャッタ２１Ｌおよび右液晶シャッタ２１Ｒの開閉を制御するための制御信号１３１を生成する。制御信号１３１は、表示部１１において表示される左目用画像と右目用画像とが切り替わるタイミングと同期をとることができ、かつ、左目用画像と右目用画像とのどちらが表示されるのかを判別できることを条件として、任意の波形の信号を用いることができる。シャッタ制御部１３は、生成した制御信号１３１を、視覚補助器具２の制御信号受信部２３に送信する。
【００４８】
表示部１１は、同期信号生成部１４３Ｃから出力された左目用画像データおよび右目用画像データに基づいて、左目用画像または右目用画像を表示する。
[視覚補助器具の機能的構成]
【００４９】
図３に示すように、視覚補助器具２は、前述の装着検知部２２及び送信部２４の他に装着信号生成部２７を備える。装着信号生成部２７は、装着検知部２２のプッシュスイッチが使用者の頭部に接触して押し込まれたときに、視覚補助器具２が使用者の頭部に接触していることを示す装着信号２４１を生成する。装着信号生成部２７は、生成した装着信号２４１を送信部２４に出力する。送信部２４は、装着信号２４１を無線にて外部へ送信する。したがって、装着信号２４１が送信部２４から送信された場合、当該視覚補助器具２が使用者に装着されているものと判断することができる。
【００５０】
また、視覚補助器具２は、図４に示すように、上述の制御信号受信部２３、左液晶シャッタ２１Ｌ及び右液晶シャッタ２１Ｒの他に、開閉制御部２６を備える。開閉制御部２６は、本例では、フレーム２０内に設けられる。開閉制御部２６は、制御信号受信部２３で受信した制御信号１３１にしたがって、左液晶シャッタ２１Ｌおよび右液晶シャッタ２１Ｒの開閉を制御する。
[液晶シャッタの構成]
【００５１】
次に、左液晶シャッタ２１Ｌおよび右液晶シャッタ２１Ｒの構成について説明する。左液晶シャッタ２１Ｌと右液晶シャッタ２１Ｒとは、同じ構成を有しているので、本例では、左液晶シャッタ２１Ｌの構成を説明する。
【００５２】
図５を参照して、左液晶シャッタ２１Ｌは、本体部２１０Ａと、回路部２１０Ｂとを備える。本体部２１０Ａは、液晶セル２１１と、偏光板２１２，２１３と、電極基板２１１ａ，２１１ｂとを備える。なお、図５は、各部材の寸法比率を正確に表したものではない。
【００５３】
液晶セル２１１は、本例では、ＴＮ（ツイストネマティック）型液晶を採用しているが、液晶セル２１１の液晶モードはこれに限定されず、任意の液晶モードを採用することができる。液晶セル２１１は、一対の電極基板２１１ａ，２１１ｂの間に設けられる。液晶セル２１１は、液晶が封入されている。
【００５４】
偏光板２１２，２１３は、直線偏光板であり、本例では、偏光軸が互いに平行になるように配置される。偏光板２１２，２１３は、それぞれ液晶セル２１１の表裏に設けられる。回路部２１０Ｂは、電源（電池）２１４と、スイッチ回路２１５とを備える。電源２１４は、例えば、視覚補助器具２のフレーム２０に内蔵される。電源２１４は、電極基板２１１ａ，２１１ｂに電圧を印加する。
[液晶シャッタの開閉方法]
【００５５】
次に、左液晶シャッタ２１Ｌおよび右液晶シャッタ２１Ｒの開閉方法について説明する。左液晶シャッタ２１Ｌおよび右液晶シャッタ２１Ｒは、同じ動作を行うので、本例では、左液晶シャッタ２１Ｌの動作を説明する。
【００５６】
図５を参照して、スイッチ回路２１５のスイッチが開いた場合（液晶セル２１１に電圧が印加されていない場合）、表側（画像表示装置１からの光が入射する側）の偏光板２１２を透過した直線偏光は、液晶セル２１１内の液晶分子のねじれ配向に沿って回転しながら液晶セル２１１を透過する。したがって、液晶セル２１１に電圧が印加されていない場合、液晶セル２１１を透過した光は、偏光板２１３を透過しない。つまり、液晶セル２１１に電圧が印加されていない場合、左液晶シャッタ２１Ｌは、画像表示装置１からの光を遮断する。
【００５７】
一方、スイッチ回路２１５のスイッチが閉じた状態であって液晶セル２１１に電圧が印加されると、液晶セル２１１内の液晶分子は、液晶セル２１１の基板面に垂直な方向に分子長軸を揃えるように動作する。これにより、液晶セル２１１を透過した光は、液晶セル２１１内の液晶分子の影響を受けずに透過し、偏光板２１３を透過する。したがって、液晶セル２１１に電圧が印加されている場合は、液晶シャッター２１Ｌは、画像表示装置１からの光を透過させる。
【００５８】
シャッターメガネ２は、画像表示装置１のシャッタ制御部１３から送信される制御信号にしたがってスイッチ回路２１５におけるスイッチを開閉制御することにより、液晶シャッター２１Ｌ，２１Ｒのそれぞれが備える液晶セル２１１への印加電圧を個別にＯＮ／ＯＦＦさせて、画像表示装置１からの光に対して、液晶シャッター２１Ｌ，２１Ｒを独立して開閉動作させることができる。したがって、ここで説明した例においては、液晶シャッター２１Ｌ，２１Ｒは、液晶セル２１１への印加電圧をＯＦＦにすることにより、画像表示装置１からの光を遮断する状態（すなわち「シャッターが閉じた状態」）となり、印加電圧をＯＮにすることにより、画像表示装置１からの光を透過させる状態（すなわち「シャッターが開いた状態」）となる。
【００５９】
なお、ここでは、偏光板２１２，２１３は、偏光軸が平行になるよう配置されているが、偏光軸が直交するように配置されても良い。この場合、液晶セル２１１への印加電圧のＯＮ／ＯＦＦと、液晶シャッター２１Ｌ，２１Ｒの光の透過／遮断効果との関係が、上記の説明とは逆になる。
【００６０】
また、画像表示装置１が液晶表示パネルの場合は、液晶シャッター２１Ｌ，２１Ｒに設けられた偏光板のうち画像表示装置側の偏光板を省略し、液晶シャッター２１Ｌ，２１Ｒの観察者側のみに偏光板を設けた構成とすることもできる。
[立体画像表示システムの動作]
【００６１】
次に、図６〜８を参照して、立体画像表示システムの動作について説明する。
【００６２】
図６は、視覚補助器具２の動作を示すフローチャートである。装着検知部２２のプッシュスイッチが使用者の頭部に接触して押し込まれている場合（ステップＳ６０１でＹｅｓ）、装着信号生成部２７は、装着信号２４１を生成し、送信部２４に出力する（ステップＳ６０２）。送信部２４は、装着信号生成部２７から出力された装着信号２４１を画像表示装置１の装着信号受信部１２に送信する（ステップＳ６０３）。
【００６３】
視覚補助器具２は、ステップＳ６０１〜ステップＳ６０３までの動作を一定時間毎に繰り返し行う。
【００６４】
図７は、画像表示装置１の動作を示すフローチャートである。画像表示装置１は、外部から映像信号５０が伝送されることにより以下の動作を行う。
【００６５】
画像抽出部１４１は、伝送された映像信号５０から左目用画像および右目用画像を抽出する（ステップＳ７０１）。画像処理部１４２は、抽出された画像から、表示部１１へ表示するための画像データを生成する（ステップＳ７０２）。具体的には、画像処理部１４２の左目用画像処理部１４２Ｌは、抽出された左目用画像から左目用画像データを生成する。画像処理部１４２の右目用画像処理部１４２Ｒは、抽出された右目用画像から右目用画像データを生成する。生成された左目用画像データおよび右目用画像データは、それぞれ左目用画像処理部１４２Ｌおよび右目用画像処理部１４２Ｒに一時的に保持される。
【００６６】
次に、装着信号受信部１２が、装着信号２４１を受信しているかを確認する（ステップＳ７０３）。装着信号受信部１２が装着信号２４１を受信している場合（ステップＳ７０３でＹｅｓ）、選択部１４３Ａは、装着信号２４１に基づいて、立体画像表示モード切替信号を生成し、スイッチ１４３Ｂに出力する（ステップＳ７０４）。
【００６７】
スイッチ１４３Ｂは、立体画像表示モード切替信号に基づいて、左目用画像処理部１４２Ｌと右目用画像処理部１４２Ｒとに交互に接続される（ステップＳ７０５）。具体的には、スイッチ１４３Ｂは、１秒間に６０回程度の速さで切り替えられる。左目用画像処理部１４２Ｌと右目用画像処理部１４２Ｒとにスイッチ１４３Ｂが交互に接続することにより、左目用画像処理部１４２Ｌと右目用画像処理部１４２Ｒとに保持されていた左目用画像データと右目用画像データとは、同期信号生成部１４３Ｃに交互に出力される。
【００６８】
同期信号生成部１４３Ｃは、同期信号を生成し、シャッタ制御部１３に出力する（ステップＳ７０６）。具体的には、同期信号生成部１４３Ｃは、左目用画像および右目用画像がそれぞれ表示部１１において表示されるタイミングに同期する同期信号を生成し、シャッタ制御部１３に出力する。シャッタ制御部１３は、同期信号生成部１４３Ｃから出力された同期信号に基づいて、制御信号を生成し、視覚補助器具２の制御信号受信部２３に送信する（ステップＳ７０７）。また、同期信号生成部１４３Ｃは、ステップＳ７０５で得られた左目用画像データと右目用画像データとを表示部１１に出力する（ステップＳ７０８）。
【００６９】
以上の手順により、装着信号受信部１２が視覚補助器具２から装着信号２４１を受信している場合（装着検知部２２が使用者の頭部に接触している場合）、選択部１４３Ａで立体画像表示モード切替信号が生成され、スイッチ１４３Ｂに出力される。これにより、表示部１１は、左目用画像データと右目用画像データとに基づいた左目用画像および右目用画像を交互に表示する。したがって、使用者が視覚補助器具２を装着しただけで、使用者が何ら切替操作を行うことなく、表示部１１の表示モードが、左目用画像と右目用画像とを交互に表示する立体画像表示モードに切り替わる。
【００７０】
なお、ステップ７０３において、装着信号受信部１２が装着信号２４１を受信していない場合（ステップＳ７０３でＮｏ）は、選択部１４３Ａは、平面画像表示モード切替信号を生成し、スイッチ１４３Ｂに出力する（ステップＳ７１０）。
【００７１】
スイッチ１４３Ｂは、選択部１４３Ａから平面画像表示モード切替信号が出力されることにより、左目用画像処理部１４２Ｌにのみ接続される（ステップＳ７１１）。したがって、表示部１１は、左目用画像のみを表示する。この結果、画像表示装置１の表示部１１は、左目用画像データに基づいた左目用画像のみを表示する。
【００７２】
つまり、使用者が視覚補助器具２をはずした場合（装着検知部２２に使用者の頭部が接触していない場合）、当該視覚補助器具２からは装着信号２４１が出力されないので、選択部１４３Ａで平面画像表示モード切替信号が生成される。これにより、表示部１１は左目用画像のみを表示する。したがって、使用者が視覚補助器具２をはずした場合、使用者が何ら切替操作を行うことなく、表示部１１の表示モードが、視差のない平面画像（左目用画像のみ）を表示する平面画像表示モードに切り替わる。
【００７３】
画像表示装置１は、以上のステップＳ７０１〜ステップＳ７１１までの動作を繰り返し行う。
【００７４】
このようにして、画像表示装置１は、視覚補助器具２が使用者の頭部に接触していることを示す装着信号２４１を視覚補助器具２から受信した場合、装着信号受信部１２が受信した装着信号２４１に基づいて、表示部１１の表示モードを立体画像表示モードに切り換える。また、画像表示装置１は、装着信号２４１を視覚補助器具２から受信してない場合、表示部１１の表示モードを平面画像表示モードに切り替える。したがって、画像表示装置１は、使用者が視覚補助器具２を装着しているか否かを自動的に判断して、表示部１１の表示モードを適切に切り替えることができる。
【００７５】
次に、図８を参照して、視覚補助器具２における左液晶シャッタ２１Ｌおよび右液晶シャッタ２１Ｒの開閉動作について説明する。図８は、視覚補助器具２の動作を示すフローチャートである。
【００７６】
制御信号受信部２３が、画像表示装置１のシャッタ制御部１３から制御信号１３１を受信することにより（ステップＳ８０１でＹｅｓ）、以下の処理が開始される。制御信号受信部２３は、制御信号１３１を開閉制御部２６へ出力する（ステップＳ８０２）。開閉制御部２６は、制御信号１３１にしたがって、左液晶シャッタ２１Ｌのスイッチ回路２１５および右液晶シャッタ２１Ｒのスイッチ回路２１５の開閉を制御する(ステップＳ８０３)。具体的には、開閉制御部２６は、画像表示装置１の表示部１１において表示される画像が左目用画像であるか右目用画像であるかを判断する。表示部１１が左目用画像を表示する場合、開閉制御部２６は、制御信号１３１を左液晶シャッタ２１Ｌのスイッチ回路２１５に出力し、左液晶シャッタ２１Ｌのスイッチ回路２１５を閉じる。したがって、左液晶シャッタ２１Ｌは、画像表示装置１からの光を透過する。逆に、開閉制御部２６は、右液晶シャッタ２１Ｒのスイッチ回路２１５に制御信号１３１を出力せず、右液晶シャッタ２１Ｒのスイッチ回路２１５は、開いた状態になる。したがって、右液晶シャッタ２１Ｒは、画像表示装置１からの光を遮断する。
【００７７】
一方、表示部１１が右目用画像を表示している場合、開閉制御部２６は、制御信号１３１を右液晶シャッタ２１Ｒのスイッチ回路２１５に出力し、右液晶シャッタ２１Ｒのスイッチ回路２１５を閉じる。したがって、右液晶シャッタ２１Ｒは、画像表示装置１からの光を透過する。逆に、開閉制御部２６は、左液晶シャッタ２１Ｌのスイッチ回路２１５に制御信号１３１を出力せず、液晶シャッタ２１Ｌのスイッチ回路２１５は、開いた状態になる。したがって、左液晶シャッタ２１Ｌは、画像表示装置１からの光を遮断する。
【００７８】
以上の処理により、視覚補助器具２は、表示部１１に表示される左目用画像を左目のみで視認させ、右目用画像を右目のみで視認させることができる。表示部１１に表示される左目用画像と右目用画像とは視差を有しているので、使用者は視角補助器具２を装着することにより、表示部１１に表示されている画像を立体画像として認識する。
【００７９】
また、画像表示装置１のスイッチ１４３Ｂが左目用画像処理部１４２Ｌと右目用画像処理部１４２Ｒとの接続を１秒間に６０回程度の速さで切り替えるので、画像表示装置１の表示部１１は、左目用画像および右目用画像を１秒間に６０回程度の速さで交互に表示する。視覚補助器具２は、画像表示装置１から制御信号１３１を受信しているので、左液晶シャッタ２１Ｌのスイッチ回路２１５および右液晶シャッタ２１Ｒのスイッチ回路２１５も同じ速さ（１秒間に６０回程度）で開閉する。したがって、使用者は、残像効果により、あたかも対象物を両眼で見ているような立体感のある立体画像を視認することができる。
【００８０】
以上のとおり、第１の実施の形態によれば、立体画像表示システムは、視覚補助器具２と、画像表示装置１とを備える。装着検知部２２は、視覚補助器具２が使用者の頭部に接触していることを検知し、装着検知部２２が使用者の頭部に接触している場合、視覚補助器具２が使用者の頭部に接触していることを示す装着信号２４１を画像表示装置１に送信する。装着信号受信部１２が、装着信号２４１を受信すると、表示部１１の表示モードが立体画像表示モードに切り替えられる。また、装着信号２４１が受信されていない場合は、表示モードが平面画像表示モードに切り替えられる。したがって、第１の実施形態にかかる立体画像表示システムによれば、視覚補助器具２が使用者の頭部に接触しているか否かにより、使用者が視認する画像を立体画像または平面画像とのどちらか一方に適切に切り替えることができる。
[第１の実施形態の変形例]
【００８１】
第１の実施の形態では、装着検知部２２は、使用者の頭部に接触したときに押し込まれるプッシュスイッチであるものとしたが、以下のような変形例も可能である。すなわち、装着検知部２２は、使用者の身体の一部に接触または近接していることを検知できるという条件を満たせば、任意の構造をとり得る。例えば、装着検知部２２は、タッチセンサ、圧力センサ、スライドスイッチ、または、人感センサなどで構成され得る。
【００８２】
タッチセンサとしては、例えば、静電容量式または抵抗膜式のタッチセンサが用いられる。あるいは、光検出式のタッチセンサが用いられても良い。
【００８３】
スライドスイッチは、例えば、伸縮性のバンドによって使用者の頭部に装着されるゴーグル型の視覚補助器具２に適用できる。すなわち、使用者がこの視覚補助器具２を頭部に装着する際には、バンドが引っ張られる。したがって、バンドにスライドスイッチを設けておき、装着時にスイッチがスライドされると、装着信号２４１を生成するようにすればよい。この仕組みにより、使用者が視覚補助器具２を装着するだけで、装着検知部２２から装着信号２４１を出力させることができる。
【００８４】
人感センサとしては、例えば赤外線センサや感熱センサが用いられる。この場合、使用者が装着したときに当該使用者の身体の一部に接触または近接する位置に、装着検知部２２としての人感センサを設ければ良い。この構成により、使用者が視覚補助器具２を装着するだけで、装着検知部２２から装着信号２４１を出力させることができる。
[第２の実施の形態]
[立体画像表示システムの構成]
【００８５】
図９は、第２の実施形態にかかる立体画像表示システムの構成を示す図である。第２の実施形態にかかる立体画像表示システムは、画像表示装置１Ａと、複数の視覚補助器具２とを備える。
【００８６】
視覚補助器具２は、図９に示した例では５個設けられているが、視覚補助器具２の個数はこれに限定されない。視覚補助器具２には、個々を識別するＩＤ（ｉｄｅｎｔｉｆｉｃａｔｉｏｎ）番号が付与されている。各視覚補助器具２は、本例では、ＩＤ１〜ＩＤ５のＩＤ番号が付与されている。第２の実施形態における視覚補助器具２の装着信号生成部２７は、装着検知部２２が使用者の頭部に接触している場合、ＩＤ番号を含む装着信号２４１Ａを生成する。送信部２４は、装着信号２４１Ａを画像表示装置１の装着信号受信部１２に送信する。
[立体画像表示システムの機能的構成]
【００８７】
図１０に示すように、第２の実施の形態における画像表示装置１Ａは、第１の実施の形態における画像表示装置１に計測部１５が追加された構成である。
【００８８】
本実施形態にかかる立体画像表示システムにおいては、このシステムで用いられる複数の視覚補助器具２のＩＤ番号が、あらかじめ計測部１５に登録されている。計測部１５に対するＩＤ番号の登録の方法は任意である。例えば、使用者が何らかの方法で計測部１５に対して登録作業を行っても良いし、計測部１５に未だ登録されていない新たなＩＤ番号が装着信号２４１Ａに含まれている場合は、無条件でそのＩＤ番号を計測部１５へ登録するようにしても良い。
【００８９】
計測部１５は、立体画像表示システムに含まれる複数の視覚補助器具２からの装着信号２４１Ａの受信状況に基づいて、これら複数の視覚補助器具２のうち、使用者の頭部に装着されていると判断される視覚補助器具２の個数を求める。例えば、図９の例において、装着信号受信部１２が、ＩＤ番号としてＩＤ１を含む装着信号２４１Ａのみを受信した場合は、使用者の頭部に装着されている視覚補助器具２の数は１個であると判断される。また、例えば、装着信号受信部１２が、ＩＤ１を含む装着信号２４１ＡとＩＤ３を含む装着信号２４１Ａとを受信した場合は、使用者の頭部に装着されている視覚補助器具２の数は２個と判断される。計測部１５は、装着されていると判断される視覚補助器具２の個数を、選択部１４３Ａに出力する。
【００９０】
選択部１４３Ａは、装着されている視覚補助器具２の個数に基づいて、立体画像表示モード切替信号または平面画像表示モード切替信号を生成し、スイッチ１４３Ｂに出力する。
[立体画像表示システムの動作]
【００９１】
図１１を参照し、第２の実施の形態における立体画像表示システムの動作を説明する。視覚補助器具２の動作フローは、第１の実施の形態において説明した図６のフローと同様である。
【００９２】
画像表示装置１Ａは、外部から映像信号５０が伝送されることによりステップＳ１１０１〜ステップＳ１１１３の動作を行う。ステップＳ１１０１〜ステップＳ１１０３、ステップＳ１１０６〜ステップＳ１１１０、ステップＳ１１１２〜ステップＳ１１１３の動作は、基本的にステップ７０１〜ステップ７０３、ステップＳ７０４〜ステップＳ７０８、ステップＳ７１０〜Ｓ７１１の動作にそれぞれ対応する。以下、第１の実施形態と異なるところを中心に説明する。
【００９３】
装着信号受信部１２が装着信号２４１Ａを受信している場合（ステップＳ１１０３でＹｅｓ）、計測部１５は、装着信号受信部１２から装着信号２４１Ａを受け取って、使用者に装着されている視覚補助器具２の個数を求める（ステップＳ１１０４）。このとき、計測部１５は、装着信号２４１Ａに含まれるＩＤ番号に基づいて、使用者に装着されている視覚補助器具２の個数を求める。具体的には、計測部１５は、装着信号２４１Ａに含まれているＩＤ番号を読み出し、使用者に装着されている視覚補助器具２を特定する。計測部１５は、装着信号２４１Ａを受信する毎に上記の特定動作を繰り返すことにより、使用者に装着されている視覚補助器具２の個数を求めることができる。
【００９４】
次に、計測部１５は、ステップＳ１１０４で求められた個数と、計測部１５にあらかじめ登録されているＩＤ番号の個数と等しいかを判断する（ステップＳ１１０５）。ステップＳ１１０５の判断結果がＹｅｓである場合は、すなわち、すべての視覚補助器具２が使用者に装着されている場合である。この場合は、ステップＳ１１０６以降の処理を行い、立体画像表示モードで表示部１１に表示を行わせる。
【００９５】
一方、ステップＳ１１０４で求められた個数と、計測部１５にあらかじめ登録されているＩＤ番号との個数が同じでない場合（ステップＳ１１０５でＮｏ）は、複数の視覚補助器具２のうちの少なくとも一部が使用者に装着されていない場合である。この場合は、ステップＳ１１１２（ステップＳ７１０と同様）に進み、平面画像表示モードで表示部１１に表示を行わせる。
【００９６】
第２の実施の形態によれば、画像表示装置１は、複数の視覚補助器具２の全てが使用者に装着されている場合（ステップＳ１１０５でＹｅｓ）は立体画像表示モード、その他の場合は平面画像表示モードによって、表示部１１に表示を行わせる。
【００９７】
この実施形態によれば、以下のような効果が得られる。すなわち、複数の視覚補助器具２の全てが装着されていると判断される場合は、表示部１１の表示モードは立体画像表示モードとされる。複数の視覚補助器具２のそれぞれは、図６に示したステップＳ６０１〜ステップＳ６０３までの動作を一定時間毎に繰り返している。したがって視覚補助器具２が使用者の頭部に装着されて装着検知部２２が使用者の頭部に接触している限りにおいて（ステップＳ７０３でＹｅｓ）、画像表示装置１は、当該視覚補助器具２から一定時間毎に装着信号２４１Ａを受信する。いずれかの視覚補助器具２が使用者の頭部からはずされた場合、画像表示装置１は、当該視覚補助器具２からは装着信号２４１Ａを受信しなくなる。したがって、ステップＳ１１０４において計測部１５で求められる、使用者に装着されている視覚補助器具２の個数が、１個少なくなる。この場合、画像表示装置１は表示部１１の表示モードを平面画像表示モードに切り替える。これにより、視覚補助器具２をはずした使用者が、左目用画像と右目用画像が視差のある状態で重なった画像を見る、という事態が防止される。
[第２の実施形態の変形例]
【００９８】
第２の実施形態にかかる上述の説明では、ステップＳ１１０５でＹｅｓの場合に、表示モードを立体画像表示モードに切り替える例を示した。しかし、この変形例として、ステップＳ１１０５の代わりに、使用者の頭部に装着されていると判断される視覚補助器具２の個数が１個以上であるか否かを判断し、判断結果が肯定（Ｙｅｓ）である場合はステップＳ１１０６へ進み、判断結果が否定（Ｎｏ）である場合はステップＳ１１１２へ進むフローとしても良い。
【００９９】
あるいは、複数の視覚補助器具２のうちいずれか一つを代表の視覚補助器具（以下、「親器具」と称する）としてあらかじめ決定しておき、親器具が使用者の頭部に装着されていると判断される場合、表示部１１の表示モードを立体画像表示モードに切り替え、親器具が使用者の頭部に装着されていないと判断される場合は平面画像表示モードに切り替えるようにしてもよい。
【０１００】
また、第２の実施の形態では、装着信号２４１Ａは、それぞれ視覚補助器具２のＩＤ番号を含んでいるものとしたが、これは必須ではない。例えば、計測部１５は、装着信号受信部１２が所定時間内に装着信号２４１Ａを受信した回数を計測し、その回数を、使用者の頭部に装着されている視覚補助器具２の個数であると見なしてもよい。
【０１０１】
また、計測部１５に視覚補助器具２のＩＤ番号をあらかじめ登録しておき、使用者に装着されていると判断される視覚補助器具２の数と、登録されたＩＤ番号の数とを比較することも必須ではない。例えば、計測部１５は、装着信号受信部１２が所定時間内に装着信号２４１Ａを受信した回数を計測し、その回数とあらかじめ定められた閾値とを単純に比較することにより、表示部１１の表示モードを立体画像表示モードまたは平面画像表示モードに切り替えるようにしても良い。
【０１０２】
上述した具体的な実施形態は、本発明を実施するための例示に過ぎない。よって、本発明は上述した実施の形態に限定されることなく、その趣旨を逸脱しない範囲内で上述した実施の形態を適宜変形して実施することが可能である。
【図１】
2011070851.tif 000003
【図２】
2011070851.tif 000004
【図３】
2011070851.tif 000005
【図４】
2011070851.tif 000006
【図５】
2011070851.tif 000007
【図６】
2011070851.tif 000008
【図７】
2011070851.tif 000009
【図８】
2011070851.tif 000010
【図９】
2011070851.tif 000011
【図１０】
2011070851.tif 000012
【図１１】
2011070851.tif 000013
【国際調査報告】
2011070851.tif 000014
2011070851.tif 000015
2011070851.tif 000016
2011070851.tif 000017